(57)【要約】      （修正有）【課題】オフセット輪転印刷機の湿し装置における、水元ローラの水送りローラに対するニップ調整機構が水元ローラに近く腐食する他、操作部分が部品密集部にあることによる操作困難性の課題を改善する。【解決手段】湿し装置を支持するフレームと、水元ローラを支持する着脱アームと、上記フレームに設け、上記着脱アームの一端側を回動可能に嵌合する支持軸と、上記着脱アームの他端に設けるピンと、上記フレームの一端に設けるピンと、上記フレームに設ける別のピンとの間に設ける水元ローラ着脱機構と、前記水元ローラ着脱機構と前記フレームに設ける別のピンとの間に水元ローラニップ調整機構を設ける。【選択図】図１
2007185858.tif 000002
【特許請求の範囲】
【請求項１】
オフセット印刷機の湿し装置における、水元ローラの着脱及び相手ローラとの接触圧を調節する装置において、湿し装置を支持するフレームと、水元ローラを支持する着脱アームと、上記フレームに設け、上記着脱アームの一端側を回動支持可能に嵌合する支持軸と、上記着脱アームの他端に設けるピンと、上記フレームに設ける別のピンとの間に設ける水元ローラ着脱機構と、前記水元ローラ着脱機構と前記フレームに設ける別のピンとの間に水元ローラニップ調整機構を設けたことを特徴とする水元ローラニップ調整装置。
【請求項２】
上記水元ローラニップ調整機構が直線的に移動する機構であることを特徴とする請求項１の水元ローラニップ調整装置。
【発明の詳細な説明】
【技術分野】
【０００１】
本発明は、オフセット印刷機の湿し装置における、水元ローラの相手ローラとの接触圧を調節する装置に関するものである。
【背景技術】
【０００２】
図４に示すように、一般にオフセット輪転印刷機の印刷装置１は、インキ壺にインキを溜めて必要量吐き出されたインキを多数のローラ群で練り版胴４ａの表面に装着された版面にインキを供給するインキ装置２、上記版面に湿し水を供給する湿し装置５、版面のインキを受けてウエブに転写するブランケット胴４ｂなどで構成されている。
湿し装置５は図３Ａに示す様にパン５１の水を水元ローラ８でくみ上げ、水送りローラ７に転移させ、更に水着けローラ６に転移させた後、版面に湿し水を供給するようになっている。図３Ｂは印刷前や、印刷後にインキ及び湿し水の版面への供給を絶つ為に、ローラを脱移動させた状態を示す。
【０００３】
図５に示す様に、湿し装置５は、上述したように湿し水の供給・遮断をするローラの着脱機構９及び水元ローラ８と水送りローラ７の着脱機構１０ｂ並びに水元ローラ８と水送りローラ７のニップ調整機構１１ｂを設けている。
水元ローラ８及び水送りローラ７は機械の幅方向両側に設けられているサイドフレーム１２に固設された幅方向両側に設けられた支持軸９５により機械幅方向固定、回動自由に支持されている着脱フレーム９１に支持されており、着脱シリンダ９２の作動により、上記着脱フレーム９１を、支持軸９５を回動中心として移動させることにより、図示しないリンクにより水着けローラ６を図３Ａの状態と、図３Ｂの状態に切り換えることが出来るようになっている。上記機械幅方向両側に設けられている着脱フレーム９１に対し、支持軸１０５で機械幅方向固定、回動自由に支持されている水元ローラ用着脱アーム１０１がある。該着脱アーム１０１に図示しないベアリングを介して支持されている水元ローラ８が、着脱シリンダ１０２の動作により、着脱フレーム９１に図示しないベアリングを介して支持されている水送りローラ７に対して、着脱するようになっている。
【０００４】
上述したように水送りローラ７に対して水元ローラ８が着脱するが、水元ローラ８が水送りローラ７に着いたときのニップ調整は図５に示すように、水元ローラ着脱機構１０ｂのピン１０３とピン１０４の距離を水元ローラニップ調整機構１１ｂで調整して行なう。水元ローラ８を支持している着脱アーム１０１とリンク１０６はピン１０４で幅方向固定で、ピン１０４の周りに回動自由に支持されている。水元ローラニップ調整機構１１ｂはリンク１０６に雌ねじが加工されており、該雌ねじと着脱シリンダ１０２のピストンロッドの先端の雄ねじと螺合する構成となっている。上記螺合の量により、ピン１０３とピン１０４の距離を調節し、水送りローラ７に対して水元ローラ８のニップを調整する。
【０００５】
ところで、湿し装置５においては、ローラ表面から湿し水を供給するが、湿し関係のローラ近辺は水の飛散や、蒸発により湿度の高い状態となっている。従って、装置は錆びが発生しやすく、防錆対策をしないと調整装置は動かなくなる。水元ローラニップ調整機構１１ｂはそのような場所にあり、錆びやすいことに加えて、各種装置が密集する操作しにくいところにある。このことは調整作業が難しく、作業時間がかかる上、正確な作業が困難である。また、調整装置を常に正常に動作させるために保守作業の頻度も多くする必要がある。
【０００６】
特許文献１には、印刷機のローラの接触圧調整装置として、ローラ着脱機構の一部に偏心軸受とその偏心軸受を回動させるための駆動機構が開示されている。
【０００７】
【特許文献１】特開平７−１７２０号公報
【発明の開示】
【発明が解決しようとする課題】
【０００８】
しかしながら、上述した特許文献１の技術は偏心軸受を利用しており、操作部分はローラから離れたところに設置できるようになっているが、偏心軸受部は比較的にローラに近く、その雰囲気の影響を受けやすい場所であることと、偏心軸受を利用しているので、ニップ調整のための移動量の変化が、直線的でなく、操作が感覚的に難しい。もしくは、直線的に近似させようとすれば偏心量を大きくする必要があり、装置が大きくなり、操作部分の隙間の影響も大きくなり、正確に調整することが難しくなる。など上述技術では保守の軽減やなニップ調整が困難であることが考えられる。
【０００９】
本発明は、このような課題に鑑み創案されたもので、水元ローラ８のニップ調整を保守容易で、調整量が操作部でほぼ直線的に変化する設定が容易な装置を提供することを目的とする。
【課題を解決するための手段】
【００１０】
このため、請求項１記載の本発明の水元ローラニップ調整装置は、オフセット印刷機の湿し装置における、水元ローラの着脱及び相手ローラとの接触圧を調節する装置において、湿し装置を支持するフレームと、水元ローラを支持する着脱アームと、上記フレームに設け、上記着脱アームの一端側を回動可能に嵌合する支持軸と、上記着脱アームの他端に設けるピンと、上記フレームの一端に設けるピンと、上記フレームに設ける別のピンとの間に設ける水元ローラ着脱機構と、前記水元ローラ着脱機構と前記フレームに設ける別のピンとの間に水元ローラニップ調整機構を設けたことを特徴としている。
【００１１】
請求項２記載の本発明の水元ローラニップ調整装置は、上記水元ローラニップ調整機構が直線的に移動する機構であることを特徴としている。
【発明の効果】
【００１２】
請求項１記載の本発明の水元ローラニップ調整装置によれば、ローラニップ調整機構１１ａが、水送りローラ７や水元ローラ８から離れており、水飛散等による錆びが発生しにくく、かつ、印刷装置１の作業側端面に近く、開放された場所で操作できるので作業しやすい。
【００１３】
請求項２記載の水元ローラニップ調整装置によれば、ローラニップ調整機構１１ｂの量調整はねじの螺合によるもので、移動量が直線的に変化するので感覚的に調整量の把握が容易で調整作業が容易である。
【発明を実施するための最良の形態】
【００１４】
以下、図面を参照しながら本発明の実施形態について説明する。
図１は本発明の水元ローラニップ調整装置の一実施形態としての図である。なお、前述した従来例と同一の部位又は部材については同一の符号で示している。また、従来例で用いた図も適宜用いて説明する。
【００１５】
図１に示すように、本実施形態に係る水元ローラニップ調整装置１１ａは、機械の幅方向両側に設けられているサイドフレーム１２にそれぞれ固設された支持軸９５により機械幅方向固定で回動自由に支持されている着脱フレーム９１に支持され、水送りローラ７に対し、上記着脱フレーム９１に固設されている支持軸１０５に機械幅方向固定で回動自由に支持されている着脱アーム１０１に支持されている水元ローラ８を押し付ける量を調整する装置である。
【００１６】
上記着脱アーム１０１の他端にはピン１０４を設け、支持軸１０５とピン１０４のほぼ中間には水元ローラ８を図示しないベアリングを介して支持するようになっている。上記ピン１０４と着脱フレーム９１の一端に設けているピン１０３との間にリンク１０６及び着脱シリンダ１０２から成る水元ローラ着脱機構１０ａ、更に水元ローラニップ調整機構１１ａを設けている。上記着脱シリンダ１０２の動作により、着脱フレーム９１に支持されているピン１０３と、上記着脱アーム１０１の他端に設けているピン１０４との距離が変わり、着脱アーム１０１に設けている水元ローラ８が水送りローラ７に対して、着脱するようになっている。
【００１７】
上述したように水送りローラ７に対して水元ローラ８が着脱するが、水元ローラ８が水送りローラ７に着いたときのニップの調整は、図１のＡ部詳細に示すように湿し装置着脱フレーム９１に固設されているピン１０３に対して着脱シリンダ１０２に固定したブラケット１１０の位置を調整して行なう。該水元ローラニップ調整機構１１ａは水元ローラ８設置場所から離れており、サイドフレーム１２の作業する側の端部に近いところに位置する。
【００１８】
水元ローラニップ調整機構１１ａは水元ローラ着脱機構１０ａのブラケット１１０に長孔１１７を設け、ブラケット１１０には上記長孔１１７部から上記着脱シリンダ１０２に向けて穴１１１を設け、該穴１１１に圧縮ばね１１３、ばね座１１２を組み込み、圧縮ばね１１３の作用により、ばね座１１２を介してピン１０３を押し、水元ローラ着脱機構１０ａを図１において左方向に移動させるようになっている。一方、ブラケット１１０の上記穴１１１の反対側に雌ねじ１１８が加工されており、該雌ねじ１１８に握り１１４の雄ねじ部１１５が螺合する。上記ばね１１３により水元着脱機構１０を左方向に移動させるよう作用している力を、上記雄ねじ部１１５の先端がピン１０３に当たり、止まるようになっている。このことによりピン１０３の位置に対し、水元ローラ着脱アーム１０１のピン１０４の位置が決まり、水元ローラ８の水送りローラ７に対する位置が決まるようになっている。従って、水元ローラ８の水送りローラ７対するニップ調整が握り１１４を回すことによりできるようになっている。止ナット１１６は調整後ゆるみ止めをするためのものである。
【図面の簡単な説明】
【００１９】
【図１】本発明の一実施形態に係る水元ローラニップ調整装置の断面方向説明図である。
【図２】本発明の一実施形態に係る水元ローラニップ調整装置の正面方向説明図である。
【図３】Ａは本発明の実施例に係る水元ローラ等の押体の密着構造を模式的に示す側面図ある。  Ｂは本発明の実施例に係る水元ローラ等の押体の脱離構造を模式的に示す側面図ある。
【図４】一般的なオフセット輪転印刷機の湿し装置部の断面説明図である。
【図５】従来の水元ローラニップ調整装置の断面方向説明図である。
【符号の説明】
【００２０】
１  オフセット印刷機の印刷装置
２  インキ装置
３  インキローラ
３ａ  インキ着けローラ
４  印刷胴
４ａ  版胴
４ｂ  ブラケット胴
５  湿し装置
５１  パン
６  水着けローラ
７  水送りローラ
８  水元ローラ
９  湿し装置着脱機構
９１  着脱フレーム
９２  着脱シリンダ
９３  ピン
９４  ピン
９５  支持軸
１０ａ  １０ｂ  水元ローラ着脱機構
１０１  着脱アーム
１０２  着脱シリンダ
１０３  ピン
１０４  ピン
１０５  支持軸
１０６  リンク
１１ａ  １１ｂ  水元ローラニップ調整機構
１１０  ブラケット
１１１  穴
１１２  ばね座
１１３  ばね
１１４  握り
１１５  雄ねじ部
１１６  止ナット
１１７  長孔
１２  サイドフレーム
【図１】
2007185858.tif 000003
【図２】
2007185858.tif 000004
【図３】
2007185858.tif 000005
【図４】
2007185858.tif 000006
【図５】
2007185858.tif 000007